(57)【要約】【課題】  従来、断熱特性を高めるために十分な厚さを有するユカパネル（下葺き材）の構造がある。この発明は、厚さを、例えば、１ｃｍ〜２ｃｍとする構造であることを主体として、発泡スチロールの断熱効果を利用することに留まることから、瓦の温度上昇が、約７０〜８０℃程度になる場合には、熱の放散及び／又は断熱（遮断）には、不向きと考えられる。【構成】  本発明は、屋根のルーフィングの上に葺設される発泡樹脂の下葺き材で、下葺き材の下側端部に、瓦の引掛け用の切欠き部を設け、下葺き材の表面に断熱かつ反射材を貼着、又は添着して設け、下葺き材を、屋根の桁方向に設けた瓦棧間に、略密着して設ける構成とした屋根発泡下葺き材の構造である。この切欠き部を利用し、瓦の確実な葺設を図る。雨水と風の溜まり防止する。屋根の断熱効果と、防音効果が図れる。【選択図】      図１
2010101140.tif 000002
【特許請求の範囲】
【請求項１】
屋根のルーフィングの上に葺設される桁方向に長い発泡樹脂の下葺き材であり、この下葺き材の下側端部に、瓦の引掛けが挿入される切欠き部を設け、またこの下葺き材の表面に断熱かつ反射材を貼着、又は添着して設け、さらに、この下葺き材を、前記屋根の桁方向に設けた瓦棧間に、略密着して設ける構成とした屋根発泡下葺き材の構造。
【請求項２】
請求項１に記載の屋根発泡下葺き材の構造であって、
この下葺き材の表裏面に、凹部又は凸部を形成し、この凹部又は凸部の間に隙間を形成され、かつこの隙間の一部に、この屋根の雨水の流れ方向に向った、略直線状、曲線状、又は傾斜した溝を形成する構成とした屋根発泡下葺き材の構造。
【請求項３】
請求項１に記載の屋根発泡下葺き材の構造であって、
前記溝を、この下葺き材の切断部位として利用する構成とした屋根発泡下葺き材の構造。
【請求項４】
請求項１に記載の屋根発泡下葺き材の構造であって、
前記下葺き材の裏面がフラットな構造において、この裏面に換気用、又は雨水用の切溝を、一条、又は数条設ける構成とした屋根発泡下葺き材の構造。
【請求項５】
屋根のルーフィングの上に間隔をおいて敷設される多数の瓦棧と、この屋根の桁方向に長く、かつこの桁方向の下側端部に、瓦の引掛けが挿入される切欠き部を設けた、前記瓦棧間に葺設される屋根発泡下葺き材を利用して瓦を葺設する葺設方法であって、
この下葺き材の切欠き部に挿入した引掛けを、瓦棧の上側の端面に係止し、また、この切欠き部を、前記引掛けと、他の瓦（上の瓦）の裏面頭側で押圧し、また、この下葺き材の上側端部を、他の瓦の裏面尻側で押圧して葺設する構成とした屋根発泡下葺き材を利用して瓦を葺設する葺設方法。
【発明の詳細な説明】
【技術分野】
【０００１】
本発明は、ルーフィングと瓦との間に葺設される屋根発泡下葺き材の構造と、屋根発泡下葺き材を利用して瓦を葺設する葺設方法に関する。
【背景技術】
【０００２】
従来は、屋根の葺設は、屋根地に、防水性のルーフィングを葺設し、このルーフィングの瓦棧（瓦棧木）を適宜間隔で固止し、この瓦棧に、瓦の引掛けを係止し、かつ釘止めで葺設を完了する。そして、その後は、この葺設作業の繰り返しである。この従来の葺設作業では、瓦が担持する寒暖は、直接、ルーフィングに影響することと、屋根地に伝達されることから、屋根裏の高熱と、結露、又は酷寒に晒される問題がある。この改良として、ルーフィング（ルーフィング材）、瓦（屋根材）の品質改良と、瓦の葺設構造等が研究されている。しかし、この目的を達成するには、更なる改良が望まれる処である。
【０００３】
上記に鑑み、この改良の一環として、先行文献を基に、文献（１）〜（３）として説明する。
【０００４】
文献（１）は、特開２００８−２１４９３４の「建築用下地材」であり、ルーフィングの改良である（明細書の［０００１］に記載の「屋根下葺材又は壁のラス下地材、床の下地材等として用いる建築用下地材」と、「シート状基材」の言葉）。そして、この発明は、夏季では、太陽光線で熱せられて約７０〜８０℃程度に温度上昇した瓦が放散する熱を遮断できず、屋根地から、屋根裏等を介して、室内に伝わり、この室内温度が上昇する。従って、冷房に多くのエネルギーを消費し、かつ資源の無駄となることと、一方、冬季では、暖房装置で暖められた空気が上昇し、屋根裏から、屋根地と瓦等を介して、室外に逃げ、室内の温度が下がる。従って、室内暖房に多くのエネルギーと、資源を要すること等の課題を解決することを意図し、シート状基材（明細書の［００２５］に記載の「シート状基材１１は、屋根下葺材１０の芯材となるもので、例えばポリエチレン等の合成樹脂により厚さが１ｍｍ前後のシート状に形成されている。」）の少なくとも片方の面に遮熱材を配設し、このシート状基材を建物の外部側（壁）、又は野地板の上面にシート状の屋根下葺材を敷設し、この屋根下葺材の上に瓦を葺設し、壁、又は瓦からの熱を遮断し室内外における熱の通過（伝達と逃避）を低減し、二次的に建物の省エネルギー化と、資源の有効利用を推進しようとする建築用下地材を提供する。
【０００５】
文献（２）は、特開２００２−２２７３５２の「防滑性屋根下葺き材」であり、ルーフィングの改良である（明細書の［０００２］に記載の「従来の技術において、各種の構造のルーフィングフェルトを例示する）。そして、この発明は、防滑性と生産性に優れた屋根下葺き材を提供するものであり、梨子地面（微細な凹凸）を備えた発泡合成樹脂でなる防滑層と、シート状補強層と、アスファルトでなる防水層で形成した屋根下葺き材であり、この防滑層は、滑り角３０°以上の防滑性能を有する構成の防滑性屋根下葺き材である。そして、このシート状補強層は、紙、織物、編物、不織布、フィルム、ネット、フェルト等のシート状基材（明細書の［０００８］に記載の如く）とし、かつこのシート状基材を構成する素材は、ポリエステル、ポリオレフィン、ナイロン、アクリル等の通常の合成繊維材料（明細書の［０００９］に記載の如く）で構成する。
【０００６】
また文献（３）は、特開２００３−１８４２３３の「断熱性を有する勾配屋根の瓦葺き構造及びその施工方法」であり、明細書の［００２７］と、［００２８］、並びに図６において、立体的な断熱シート（２２０）の構造が記載されており、この立体的な断熱シート（２２０）は、瓦の形状に近似する表面を備えたユカパネルで、このユカパネルは、断熱特性を高めるために十分な厚さが所望され、例えば、１ｃｍ〜２ｃｍとする（明細書の［００２７］に記載）。
【０００７】
【特許文献１】特開２００８−２１４９３４
【特許文献２】特開２００２−２２７３５２
【特許文献３】特開２００３−１８４２３３
【発明の開示】
【発明が解決しようとする課題】
【０００８】
前記文献（１）は、ルーフィングの改良で、合成樹脂のシート状基材の少なくとも片方の面に遮熱材を配設した構造である。この発明は、長尺物のシート状基材を、屋根地の長手方向に展開し、この長手方向の全体に敷設する構造であり、この発明は、遮熱材一枚の敷設による断熱効果である。従って、建築物の壁には有効と考えられる。しかし、屋根地に敷設するルーフィングとして使用する際には、遮熱効果が十分とは考えられない。何故ならば、瓦の温度上昇が、前述した如く、約７０〜８０℃程度になることから、熱の放散及び／又は断熱（遮断）には、不向きと考えられる。
【０００９】
また、文献（２）は、ルーフィングの改良で、合成樹脂のシート状基材に、二層のアスファルト層を設けた構造であり、防滑性を図ることを意図する。従って、従来のルーフィングの耐亀裂性・破損性・防滑性の確保にある。従って、断熱効果を図るには、十分でない。
【００１０】
さらに、文献（３）は、断熱特性を高めるために十分な厚さを有するユカパネルであり、その厚さを、例えば、１ｃｍ〜２ｃｍとする構造である。しかし、この発明は、発泡スチロールの断熱効果を利用することに留まることから、前述の如く、瓦の温度上昇が、約７０〜８０℃程度になることから、熱の放散及び／又は断熱（遮断）には、不向きと考えられる。
【課題を解決するための手段】
【００１１】
請求項１の発明は、下記のことを意図する。
「１」  下側端部に、切欠き部を形成し、瓦の確実な葺設を図る。また、雨水と風の溜まり防止を図る。
「２」  屋根の断熱効果と、防音効果を図る。
「３」  下葺き材の切断の容易化と、使い勝手を良くする。
「４」  屋根裏に熱のこもり、及び／又は、雨水の滞留がなく、劣化の要因を排除する。
【００１２】
請求項１は、屋根のルーフィングの上に葺設される桁方向に長い発泡樹脂の下葺き材であり、この下葺き材の下側端部（軒先方向の端部）に、瓦の引掛けが挿入される切欠き部を設け、またこの下葺き材の表面に断熱かつ反射材を貼着、又は添着して設け、さらに、この下葺き材を、前記屋根の桁方向に設けた瓦棧間に、略密着して設ける（瓦棧の立上り両側端面に、相似形となる下葺き材の上側端部（棟方向の端部）と、この下葺き材の下側端部を設ける）構成とした屋根発泡下葺き材の構造である。
【００１３】
請求項２の発明は、下記のことを意図する。
「１０」  雨水と風の流れを確保する。
「１１」  雨水と風の溜まり、結露防止に役立つ。
「１２」  下葺き材の切断の容易化と、正確な切断を図る。
【００１４】
請求項２は、請求項１に記載の屋根発泡下葺き材の構造であって、
この下葺き材の表裏面に、凹部又は凸部を形成し、この凹部又は凸部の間に隙間を形成され、かつこの隙間の一部に、この屋根の雨水の流れ方向に向った、略直線状、曲線状、又は傾斜した溝を形成する構成とした屋根発泡下葺き材の構造である。
【００１５】
請求項３の発明は、下記のことを意図する。
「２０」  下葺き材の桁方向の寸法調整と、切断の容易化、又は切断寸法の正確性を確保する。
「２１」  下葺き材の軽量化と、屋根全体の軽量化を図る。
「２２」  下葺き材の無駄と、正確な切断を図る。
【００１６】
請求項３は、請求項１に記載の屋根発泡下葺き材の構造であって、
前記溝を、この下葺き材の切断部位として利用する構成とした屋根発泡下葺き材の構造である。
【００１７】
請求項４の発明は、下記のことを意図する。
「３０」  下葺き材の乾燥と、雨水の流れを確保する。
「３１」  下葺き材の軽量化と、屋根全体の軽量化を図る。
「３２」  少なくとも、下葺き材とルーフィング間の結露防止を図る。
【００１８】
請求項４は、請求項１に記載の屋根発泡下葺き材の構造であって、
前記下葺き材の裏面がフラットな構造において、この裏面に換気用、又は雨水用の切溝を、一条、又は数条設ける構成とした屋根発泡下葺き材の構造である。
【００１９】
請求項５の発明は、下記のことを意図する。
「４０」  瓦及び／又は下葺き材等の容易な葺設と、施工を図る。
「４１」  屋根の断熱効果と、防音効果を図る。
「４２」  下葺き材の歪み防止と、釘なし・簡易な作業で施工できる。
【００２０】
請求項５は、屋根のルーフィングの上に間隔をおいて敷設される多数の瓦棧と、この屋根の桁方向に長く、かつこの桁方向の下側端部に、瓦の引掛けが挿入される切欠き部を設けた、前記瓦棧間に葺設される屋根発泡下葺き材を利用して瓦を葺設する葺設方法であって、
この下葺き材の切欠き部に挿入した引掛けを、瓦棧の上側の端面に係止し、また、この切欠き部を、前記引掛けと、他の瓦（上の瓦）の裏面頭側で押圧し、また、この下葺き材の上側端部を、他の瓦の裏面尻側で押圧して葺設する構成とした屋根発泡下葺き材を利用して瓦を葺設する葺設方法である。
【発明の効果】
【００２１】
請求項１の発明は、屋根のルーフィングの上に葺設される桁方向に長い発泡樹脂の下葺き材であり、下葺き材の下側端部に、瓦の引掛けが挿入される切欠き部を設け、また下葺き材の表面に断熱かつ反射材を貼着、又は添着して設け、さらに、下葺き材を、屋根の桁方向に設けた瓦棧間に、略密着して設ける構成とした屋根発泡下葺き材の構造である。
【００２２】
従って、次のような特徴を有する。
「１」  下側端部に、切欠き部を形成し、瓦の確実な葺設を図る。また、雨水と風の溜まり防止に有効である。
「２」  屋根の断熱効果と、防音効果が図れる。
「３」  下葺き材の切断の容易化と、使い勝手が良い。
「４」  屋根裏に熱のこもり、及び／又は、雨水の滞留がなく、劣化の要因を排除できる。
【００２３】
請求項２の発明は、請求項１に記載の屋根発泡下葺き材の構造であって、
下葺き材の表裏面に、凹部又は凸部を形成し、凹部又は凸部の間に隙間を形成され、かつ隙間の一部に、屋根の雨水の流れ方向に向った、略直線状、曲線状、又は傾斜した溝を形成する構成とした屋根発泡下葺き材の構造である。
【００２４】
従って、次のような特徴を有する。
「１０」  雨水と風の流れを確保できる。
「１１」  雨水と風の溜まり、結露防止に有効である。
「１２」  下葺き材の切断の容易化と、正確な切断が図れる。
【００２５】
請求項３の発明は、請求項１に記載の屋根発泡下葺き材の構造であって、
溝を、下葺き材の切断部位として利用する構成とした屋根発泡下葺き材の構造である。
【００２６】
従って、次のような特徴を有する。
「２０」  下葺き材の桁方向の寸法調整と、切断の容易化、又は切断寸法の正確性を確保できる。
「２１」  下葺き材の軽量化と、屋根全体の軽量化が図れる。
「２２」  下葺き材の無駄と、正確な切断が図れる。
【００２７】
請求項４の発明は、請求項１に記載の屋根発泡下葺き材の構造であって、
下葺き材の裏面がフラットな構造において、裏面に換気用、又は雨水用の切溝を、一条、又は数条設ける構成とした屋根発泡下葺き材の構造である。
【００２８】
従って、次のような特徴を有する。
「３０」  下葺き材の乾燥と、雨水の流れを確保できる。
「３１」  下葺き材の軽量化と、屋根全体の軽量化が図れる。
「３２」  少なくとも、下葺き材とルーフィング間の結露防止が図れる。
【００２９】
請求項５の発明は、屋根のルーフィングの上に間隔をおいて敷設される多数の瓦棧と、屋根の桁方向に長く、かつ桁方向の下側端部に、瓦の引掛けが挿入される切欠き部を設けた、瓦棧間に葺設される屋根発泡下葺き材を利用して瓦を葺設する葺設方法であって、
下葺き材の切欠き部に挿入した引掛けを、瓦棧の上側の端面に係止し、また、切欠き部を、引掛けと、他の瓦（上の瓦）の裏面頭側で押圧し、また、下葺き材の上側端部を、他の瓦の裏面尻側で押圧して葺設する構成とした屋根発泡下葺き材を利用して瓦を葺設する葺設方法である。
【００３０】
従って、次のような特徴を有する。
「４０」  瓦及び／又は下葺き材等の容易な葺設と、施工が図れる。
「４１」  屋根の断熱効果と、防音効果がある。
「４２」  下葺き材の歪み防止、釘なし・簡易な作業で施工できる。
【発明を実施するための最良の形態】
【００３１】
本発明の一例を説明する。
【００３２】
図面の説明をすると、図１は屋根全体を示した縮尺俯瞰図、図２は使用状態であって、瓦屋根の要部を断面視して示した図、図３は下葺き材の表面視した図、図４は下葺き材の裏面視した図、図５−１は下葺き材に凹部を設けた一例の側面視した一部省略の図、図５−２は下葺き材に凹部を設けた他の一例の側面視した一部省略の図、図５−３は下葺き材に凸部を設けた一例の側面視した一部省略の図、図５−４は下葺き材に凸部を設けた他の一例の側面視した一部省略の図、図６は下葺き材の別の一例の使用状態であって、瓦屋根の要部を断面視して示した図である。
【００３３】
図中１は、発泡樹脂で成形した下葺き材であり、この下葺き材１は、屋根Ｒの桁方向Ｒ１（長手方向１ａ）に長く成形されとともに、その短手方向１ｂの軒先方向Ｒ２の下側１−１の端部１００と、また、この短手方向１ｂの棟方向Ｒ３の上側１−２の端部１０１は、瓦棧２の端面２００、２０１と相似形とし、この下葺き材１と瓦棧２の密着性を確保する構造とする。この構造を介して、断熱効果と、ズレ防止、又は振動・風等に起因するガタ防止を図ることを意図する。さらに、釘なし、接着剤なしでの差込み葺設も可能とするとともに、施工の容易化と、経済性を確保することが可能となり有益である。この密着性の確保は、例えば、夏季では、太陽光線で熱せられて約７０〜８０℃程度に温度上昇した瓦が放散する熱を遮断し、屋根地から、屋根裏、小屋裏、又は天井裏等（屋根裏とする）を介して、室内への伝播を遮断することと、室内温度の上昇を回避できること、冷房に多くのエネルギーを消費し、かつ資源の無駄がなくなること等の特徴がある。そして、また、一方、冬季では、暖房装置で暖められた空気が上昇し、屋根裏から、屋根地と瓦等を介して、室外に逃げ、室内の温度が下がることを回避し、室内暖房に多くのエネルギーと、資源を要すること等の課題を解決できること等の特徴がある。そして、さらに、地球温暖化防止に寄与することができる。尚、この下葺き材１の高さ寸法は、略１５ｍｍ〜１８ｍｍとし、この発泡樹脂による断熱効率を確保し、屋根重量の増加を少なくする。また、長手方向１ａは、略２ｍ〜３ｍとし、その短手方向１ｂは、略２２０ｍｍ〜２４０ｍｍとし、瓦棧２の標準間隔と、瓦４（棧瓦、平板瓦、Ｓ瓦等の各瓦である）の葺合せ寸法に対応する。尚、図示しないが、この下葺き材１は、耐震、強度の向上、屋根勾配、瓦（後述する）の形態等を考慮し、例えば、釘止め、貼着（接着）、圧嵌等の固定方法もあり得る。そして、前記厚さ略１５ｍｍでの断熱効果を試験したが、十分な成果が得られた。
【００３４】
この下葺き材１には、他の構造が設けられており、先ず、下葺き材１の下側１−１の端部１００には、瓦４の引掛け４００が挿入される切欠き部１０２を設ける。この切欠き部１０２を、下側１−１の端部１００に設けることで、従来の葺設作業を踏襲できること、また、瓦棧２と引掛け４００の係止関係と、耐震・耐風雨関係を、在来工法と同じように維持できること等の特徴がある。また、瓦４及び／又は下葺き材１を流れた雨水を、軒先方向Ｒ２（屋根Ｒの流れ方向）に誘導でき、かつ雨仕舞いの有効性を確保できる実益がある。尚、この切欠き部１０２は、その深さを略１３ｍｍとし、切欠き幅を、略１０ｍｍとすることにより、この下葺き材１の耐久性と、断熱効果と、並びに施工の容易化と、経済性を確保することが可能となり有益である。また、屋根裏に熱のこもり及び／又は雨水の滞留がなく、劣化の要因を排除できる有益性を備えている。尚、この端部１００、１０１は、屋根Ｒの勾配に関係なく、屋根地Ｒ３と瓦棧２は、略９０度であるので、この角度に合わせる構造とし、密着性を向上する。
【００３５】
また、この下葺き材１の表面１−３に、アルミ断熱かつ反射材５を貼着、又は添着して設け、本発明が意図する断熱効果と、反射効果、又は耐久性防止の向上、腐蝕防止と、品質の向上等を図る。そして、この反射材５は切欠き部１０２と、裏面１−４にも設けることが理想である。このように、下葺き材１の外周面全体に反射材５を設けることで、前述の断熱効果と、反射効果、又は耐久性防止の向上、腐蝕防止と、品質の向上等を、略完全に達成できると考えられる。さらには、前述した屋根裏に熱のこもりがなく、劣化の要因を排除できる有益性を備えている。尚、反射材５を設けた下葺き材１の表面１−３を平坦にすることで、この表面１−３と瓦４の裏面で形成される空間を利用し、前述した、棧瓦、平板瓦、Ｓ瓦等の各瓦に対応可能とする。
【００３６】
そして、この下葺き材１の裏面１−４には、複数の凹部７及び／又は凸部８を設ける。そして、この凹凸部７、８は、この裏面１−４と屋根地Ｒ４、ルーフィングＲ５等の表面との接触面積の減少化を図り、また、空気及び／又は雨水の流れの空間９（隙間）を形成する。この空間９を利用することで、屋根裏の熱のこもり及び／又は雨水の滞留をなくし、屋根Ｒを始め、下葺き材１、屋根地Ｒ４、ルーフィングＲ５等の劣化に影響する悪い要因を排除できる有益性を備えている。また、この凹部７を連続した構造（隙間）とすることで、カット線として利用し、この下葺き材１の切断部位とすることで、例えば、使い勝手が良く、また、屋根Ｒの地割に対応できる特徴がある。また、廃材の減少化と、作業の容易化、又は下葺き材１、屋根Ｒ等の軽量化、耐震化等に寄与できる。さらに、この下葺き材１の表面１−３には、複数の凹部１０及び／又は凸部１１を設ける。そして、この凹凸部１０、１１は、この表面１−３と瓦４の裏面、瓦棧２等の表面との接触面積の減少化を図り、また、空気及び／又は雨水の流れの空間１２（隙間）を形成する。この空間１２を利用することで、屋根裏に熱のこもり及び／又は雨水の滞留をなくし、屋根Ｒを始め、下葺き材１、屋根地Ｒ４、瓦棧２等の劣化に影響する悪い要因を排除できる有益性を備えている。また、この凹部１０（及び裏面１−４の凹部７もあり得る）、又は凹部１０（及び凸部１１）の隙間を、略直線状、曲線状、又は傾斜した連続の構造とすることで、カット線（切溝１５）として利用し、この下葺き材１の切断部位とすることで、例えば、使い勝手が良く、また、屋根Ｒの地割に対応できる特徴がある。また、廃材の減少化と、作業の容易化、又は下葺き材１、屋根Ｒ等の軽量化、耐震化等に寄与できる。尚、図示しないが、端部１００、１０１に凹凸部を設け、瓦棧２との接触面積の減少化を図り、また、空気及び／又は雨水の流れの空間（図示せず）を形成する。この空間（図示せず）を利用することで、屋根裏に熱のこもり及び／又は雨水の滞留をなく、屋根Ｒを始めとし、下葺き材１、屋根地Ｒ４、ルーフィングＲ５、瓦棧２等の劣化に影響する悪い要因を排除できる有益性を備えている。以上で説明した凹凸部７、１０、８、１１等は、下葺き材１の外周面全体で、例えば、端部１００、１０１に凹凸部１３、１４と（瓦棧２との関係で有効）、切欠き部１０２に凹凸部７、１０、８、１１を設けることが理想である。そして、これらの凹凸部７、１０、１３、８、１１、１４を（引掛け４００との関係で有効）、必要時に、適宜、選択かつ組み合わされることもあり得る。そして、本発明は、瓦棧２間に、下葺き材１を、順次、葺設（敷設）する構造であるので、少なくとも、１００年住宅対応であり、また、施工（作業）及び／又は取替え等の簡便性・容易性・迅速化等に役立つ特徴がある。
【００３７】
また、図６に示すように、下葺き材１に、切欠き部１０２がない構造も可能である。この一例では、瓦４の裏面４−２と、下葺き材１の表面１−３の間にスペース１６を形成し、空気の流通帯域を形成し、熱の伝達の緩衝化と、瓦４及び下葺き材１の劣化防止に有効と考えられること、又はこの下葺き材１の軽量化と、材料の節減に有益となる。
【００３８】
そして、屋根Ｒの施工の一例を説明すると、屋根ＲのルーフィングＲ５の上で、かつその屋根Ｒの桁方向Ｒ１に間隔をおいて、多数本の瓦棧２を敷設する。続いて、この間隔で、かつ屋根Ｒの桁方向Ｒ１に向かって、所定の長さを有する下葺き材１を敷設し、この下葺き材１の下側端部１００の切欠き部１０２は、軒先方向Ｒ２に位置し、かつこの端部１００は、瓦棧２の棟方向Ｒ３の端面２００に添接される。また、この下葺き材１の上側端部１０１は棟方向Ｒ３に位置し、かつこの端部１０１は、瓦棧２の軒先方向Ｒ２の端面２０１に添接される。この略密着状態において、切欠き部１０２に瓦４の引掛け４００を挿入するとともに、この瓦４の裏面頭側を、この瓦４の下側（軒先方向Ｒ２）に位置する下の瓦４０の表面尻側に葺設する。そして、この瓦４の表面尻側には、この瓦４の上側（棟方向Ｒ３）に位置する上の瓦４１の裏面頭側が葺設される。これによって、下葺き材１の下側１−１は、下の瓦４０の引掛け４００と、この瓦４の裏面頭側で押圧され、また、この下葺き材１の上側１−２は、この瓦４の裏面頭側で押圧され構造であり、例えば、釘を要さず、かつ確実に屋根地Ｒ４に敷設されるとともに、この瓦４等がバランスよく葺設される特徴がある。そして、図６に示した他の下葺き材１の敷設も同様に考えられる。
【図面の簡単な説明】
【００３９】
【図１】屋根全体を示した縮尺俯瞰図
【図２】使用状態であって、瓦屋根の要部を断面視して示した図
【図３】下葺き材の表面視した図
【図４】下葺き材の裏面視した図
【図５−１】図５−１は下葺き材に凹部を設けた一例の側面視した一部省略の図
【図５−２】図５−２は下葺き材に凹部を設けた他の一例の側面視した一部省略の図
【図５−３】図５−３は下葺き材に凸部を設けた一例の側面視した一部省略の図
【図５−４】図５−４は下葺き材に凸部を設けた他の一例の側面視した一部省略の図
【図６】図６は下葺き材の別の一例の使用状態であって、瓦屋根の要部を断面視して示した図
【符号の説明】
【００４０】
１            下葺き材
１ａ          長手方向
１ｂ          短手方向
１−１        下側
１−２        上側
１−３        表面
１−４        裏面
１００        端部
１０１        端部
１０２        切欠き部
２            瓦棧
２００        端面
２０１        端面
４            瓦
４０          瓦
４１          瓦
４００        引掛け
５            反射材
７            凹部
８            凸部
９            空間
１０          凹部
１１          凸部
１２          空間
１３          凹部
１４          凸部
１５          切溝
１６          スペース
Ｒ            屋根
Ｒ１          桁方向
Ｒ２          軒先方向
Ｒ３          棟方向
Ｒ４          屋根地
Ｒ５          ルーフィング
【図１】
2010101140.tif 000003
【図２】
2010101140.tif 000004
【図３】
2010101140.tif 000005
【図４】
2010101140.tif 000006
【図５−１】
2010101140.tif 000007
【図５−２】
2010101140.tif 000008
【図５−３】
2010101140.tif 000009
【図５−４】
2010101140.tif 000010
【図６】
2010101140.tif 000011